(57)【要約】【課題】遊技盤取付の作業性を向上させることのできる遊技機を提供することである。【解決手段】取付部１１０を有する遊技盤１０と、取付部１１０と係合する取付係合部２１０を有する本体部２とを備え、かつ取付部１１０は、遊技盤１０の側方に突出したピン部１１１を有し、取付係合部２１０は、本体部２の前方向からピン部１１１を受け入れ、該ピン部１１１を下方向の支持位置３１１へ案内する案内溝３１０と、支持位置３１１においてピン部１１１の前方向への動きを規制する前方向規制部３２０とを有する構成とする。【選択図】        図２２
2006204687.tif 000002
【特許請求の範囲】
【請求項１】
取付部を有する遊技盤と、前記取付部と係合する取付係合部を有する本体部とを備える遊技機であって、
前記取付部は、
前記遊技盤の側方に突出したピン部を有し、
前記取付係合部は、
前記本体部の前方向から前記ピン部を受け入れ、該ピン部を下方向の支持位置へ案内する案内溝と、
前記支持位置で前記ピン部の前方向への動きを規制する前方向規制部と、を有する
ことを特徴とする遊技機。
【請求項２】
前記ピン部が前記前方向規制部により前方向への動きを規制された状態において、
前記遊技盤の上下方向の動きを規制する上下方向規制部と、
前記遊技盤の左右方向の動きを規制する左右方向規制部と、
を更に備えたことを特徴とする請求項１記載の遊技機。
【請求項３】
前記上下方向規制部は、
前記遊技盤の動きを許容する移動許容位置と、前記遊技盤の上下方向の動きを規制する移動規制位置との間で移動可能な可動規制部を備えた
ことを特徴とする請求項２記載の遊技機。
【請求項４】
前記可動規制部は、
前記取付係合部に揺動可能に取り付けられ、前記移動規制位置で前記遊技盤の上端面に接する
ことを特徴とする請求項３記載の遊技機。
【請求項５】
前記取付部は、
前記可動規制部と係合する係合部と、前記可動規制部と圧接する圧接部とを備え、
前記可動規制部は、
前記移動規制位置で前記遊技盤の前面と接するストッパ部を備えた
ことを特徴とする請求項３または４記載の遊技機。
【発明の詳細な説明】
【技術分野】
【０００１】
本発明は、遊技機に関し、特に遊技盤の本体部への取付構造に関するものである。
【背景技術】
【０００２】
遊技機、特にパチンコ遊技機においては、パチンコ遊技の興趣を高め、遊技者を飽きさせないように各種の役物や表示装置などに工夫を凝らした遊技盤が使用されている。そして、遊技盤を新規なものに容易に入れ替えできるように、遊技盤を本体枠に対して着脱可能にしたものが多用されている。このようなパチンコ遊技機は、本体枠の前面に遊技盤を取り付けるようになっており、本体枠の裏面側に、遊技動作の制御を行う制御板などが設置されている。
【０００３】
従来のパチンコ遊技機における遊技盤の本体枠への取付構造として、遊技盤の４隅にそれぞれ係合し、かつ本体枠側に押し付けるようにフランジ部が圧接して遊技盤を着脱可能に取り付ける回動ピンを有する係合部材を用いたものがある（例えば、特許文献１、特許文献２参照）。
【特許文献１】特開平５−９６０５５号公報
【特許文献２】特開２００４−２４９０８号公報
【発明の開示】
【発明が解決しようとする課題】
【０００４】
しかしながら、上述した従来の取付構造では、作業者が、遊技盤を本体枠の前方向から合わせた状態で保持しながら、遊技盤の４隅に対応する４箇所の回動ピンを回動させる作業を実施することにより、フランジ部を遊技盤に対し圧接させて遊技盤を固定しなければならず、固定前では、作業者が遊技盤を抑えなければ前方向に倒れてしまうという問題を有している。
【０００５】
そのため、作業者は、固定前では、遊技盤を前方向に倒れないように抑えながら、４箇所の回動ピンの回動操作を行わなければならず、遊技盤の本体枠への取付の作業性が悪かった。
【０００６】
そこで、本発明は、遊技盤取付の作業性を向上させることのできる遊技機を提供することを目的とする。
【課題を解決するための手段】
【０００７】
上記課題を解決するため、請求項１に記載の本発明の遊技機は、取付部を有する遊技盤と、前記取付部と係合する取付係合部を有する本体部とを備える遊技機であって、前記取付部は、前記遊技盤の側方に突出したピン部を有し、前記取付係合部は、前記本体部の前方向から前記ピン部を受け入れ、該ピン部を下方向の支持位置へ案内する案内溝と、前記支持位置で前記ピン部の前方向への動きを規制する前方向規制部と、を有することを特徴とする。
【０００８】
このように、遊技盤の取付部を本体部の取付係合部へ係合させるに際し、遊技盤の側方に突出したピン部を、本体部の案内溝を介して前方向規制部へ移動させるようにしているので、遊技盤のピン部を本体部の前方向規制部へ移動させた時点で当該遊技盤は仮固定された状態となり、このため、遊技盤を固定する前であっても当該遊技盤は前方向へ倒れることはく、遊技盤取付の作業性を向上させることが可能になる。
【０００９】
請求項２に記載の本発明は、請求項１に記載の発明の構成に加えて、前記ピン部が前記前方向規制部により前方向への動きを規制された状態において、前記遊技盤の上下方向の動きを規制する上下方向規制部と、前記遊技盤の左右方向の動きを規制する左右方向規制部と、を更に備えたことを特徴とする。
【００１０】
これにより、遊技盤の前方向、上下方向および左右方向の動きが規制されるので、遊技盤の仮固定および本固定を安定にすることが可能になる。
【００１１】
請求項３に記載の本発明は、請求項２に記載の発明の構成に加えて、前記上下方向規制部は、前記遊技盤の動きを許容する移動許容位置と、前記遊技盤の上下方向の動きを規制する移動規制位置との間で移動可能な可動規制部を備えたことを特徴とする。
【００１２】
これにより、作業者は遊技盤の仮固定から本固定への固定作業を容易に行うことが可能になる。
【００１３】
請求項４に記載の本発明は、請求項３に記載の発明の構成に加えて、前記可動規制部は、前記取付係合部に揺動可能に取り付けられ、前記移動規制位置で前記遊技盤の上端面に接することを特徴とする。
【００１４】
このように、案内溝および前方向規制部を有する取付係合部に揺動可能に取り付けられた可動規制部を、移動許容位置から移動規制位置へ摺動させることで、ピン部が案内溝を介して前方向規制部へ移動され仮固定の状態にある遊技盤の動きを規制して、本固定するようにしているので、取付係合部および可動部材により遊技盤の仮固定から本固定までの固定操作を連続（一括）して行うことができることになり、遊技盤の仮固定から本固定まで実施するための構造を簡易な構造で実現することが可能になる。
【００１５】
請求項５に記載の本発明は、請求項３または４に記載の発明の構成に加えて、前記取付部は、前記可動規制部と係合する係合部と、前記可動規制部と圧接する圧接部とを備え、前記可動規制部は、前記移動規制位置で前記遊技盤の前面と接するストッパ部を備えたことを特徴とする。
【００１６】
これにより、移動規制位置に存在する遊技盤は、可動規制部によって上下方向の動きが規制されるのに加えて、ストッパ部によって前方向の動きが規制されるので、遊技盤の強固な本固定を確実に行うことが可能になる。
【発明の効果】
【００１７】
本発明によれば以下の効果を奏することができる。
【００１８】
すなわち、本発明によれば、遊技盤の取付部を本体部の係合部へ係合させるに際し、遊技盤の側方に突出したピン部を、本体部の案内溝を介して前方向規制部へ移動させるようにしているので、遊技盤のピン部を本体部の前方向規制部へ移動させた時点で当該遊技盤は仮固定された状態となり、このため、遊技盤を固定する前であっても当該遊技盤は前方向へ倒れることはく、遊技盤取付の作業性を向上させることが可能になる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は、本発明の一実施の形態である遊技機を示す斜視図、図２は図１に示した遊技機の正面図、図３は本実施の形態に係る遊技盤を示す正面図、図４は図３に示した遊技盤を示す斜視図、図５は本実施の形態に係る取付係合部、上下方向規制部および左右方向規制部を説明する図、図６は本実施の形態に係る取付係合部の取付状態を説明する図、図７は本実施の形態に係る取付係合部、上下方向規制部、左右方向規制部および段部を説明する図、図８は本実施の形態に係る取付部を示す斜視図、図９は図８に示した取付部を遊技盤に取り付けた状態を示す斜視図、図１０は図９に示した取付部を示す上面図、図１１は図９に示した取付部を示す側面図、図１２は図９に示した取付部を示す側面図、図１３は本実施の形態に係る取付係合部を示す斜視図、図１４は本実施の形態に係る取付係合部の他の例を示す斜視図、図１５は図１３に示した取付係合部の正面を示す正面図、図１６は図１３に示した取付係合部の右側面を示す側面図、図１７は図１３に示した取付係合部の背面を示す背面図、図１８は図１３に示した取付係合部の上面を示す上面図、図１９は図１３に示した取付係合部の下面を示す下面図、図２０は本実施の形態に係る取付係合部の移動許容状態および移動規制状態を説明する図、図２１は本実施の形態に係る移動許容状態での取付係合部および遊技盤の取付構造を説明する図、図２２は本実施の形態に係る移動許容状態での取付係合部および遊技盤の取付構造を説明する図、図２３は本実施の形態に係る移動規制状態での取付係合部および遊技盤の取付構造を説明する図、図２４は表示装置の仮固定を説明する図、図２５は表示装置の仮固定を説明する図、図２６は表示装置と遊技盤との配置関係を説明する斜視図である。
【００２１】
図１および図２に示すように、パチンコ遊技機（遊技機）１は、遊技盤１０（図３および図４参照）が装着される本体部２と、本体部２内で遊技盤１０の背後に設けられる表示装置としての液晶表示装置（ＬＣＤ）２０（図５参照）と、この本体部２に取り付けられるガラス扉３、上皿部４、下皿部５、カバー６およびハンドル７とを備えている。
【００２２】
ガラス扉３および上皿部４は一体化して形成されており、この一体化された開閉扉（開閉体）は、その一端が本体部２に回動可能に軸支され、他端が本体部２に係合するようになっている。ガラス扉３は、可動可能に設けられた遊技盤１０を視認可能に被うものである。
【００２３】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２４】
上皿部４の下側に位置する下皿部５は、本体部２に固定されており、払い出しにより上皿４ａからオーバーフローした遊技球が貯留される下皿５ａを有している。
【００２５】
下皿部５の右側に設けられたハンドル７は、レール１１（図３および図４参照）を介して遊技盤１０の遊技領域へ遊技球を打ち込む際に回動操作されるものであり、遊技球の発射を停止させるストップボタン（図示せず）が設けられている。
【００２６】
ガラス扉３の上側に位置するカバー６は本体部２に固定されており、カバー６の左右の部位６ａ，６ｂは、本体部２に設けられる左右のスピーカ（図示せず）にそれぞれ対応して、スピーカからの音声が聞こえるような構造になっている。
【００２７】
液晶表示装置（ＬＣＤ）２０は、演出画像（例えば、遊技状態に対応したアニメーションやその他の報知情報など。）等を表示可能な表示領域を備えている。
【００２８】
遊技盤１０は、図３および図４に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００２９】
遊技盤１０が透明である本実施の形態では、液晶表示装置２０の表示領域が遊技盤１０を通して視認可能に配置されている。また、液晶表示装置２０にかえて、例えばプラズマディスプレイ等の表示手段を用いることもできる。
【００３０】
ここで、図３および図４に示すように四角形の遊技盤１０には、その４ヶ所の隅部に、本体部２に設けられた４ヶ所の取付係合部と係合する取付部１１０，１２０、１３０，１４０が設けられている。
【００３１】
取付部１１０および取付部１２０には、遊技盤１０の左側方（遊技盤１０を表面から見て左側）に突出したピン部１１１およびピン部１２１が、一方、取付部１３０および取付部１４０には、遊技盤１０の右側方（遊技盤１０を表面から見て右側）に突出したピン部１３１およびピン部１４１が、それぞれ設けられている。これらの取付部の詳細については後述する。
【００３２】
図５に示すように、本体部２には、遊技盤１０を固定するための予め決められた４ヶ所の部位に、遊技盤１０の取付部１１０，１２０、１３０，１４０のそれぞれと係合する取付係合部２１０，２２０，２３０，２４０が設けられている。なお、図５は、上記一体化された開閉扉（ガラス扉３および上皿部４）を開放（全開放）し、本体部２に対し液晶表示装置２０を取り付けるとともに遊技盤１０を取り外した状態を示している。
【００３３】
取付係合部２１０は、図６および図１３に示すように、ベース部３００および可動規制部４００を有している。ベース部３００は、詳細については後述するが、本体部２の前方向から取付部１１０のピン部１１１を受け入れて、該ピン部１１１を所定の位置において前方向への動き（つまり遊技盤１０の前方向への動き）を規制する機能を有している。可動規制部は、遊技盤１０の上方向および前方向の動きを規制する機能を有している。
【００３４】
取付係合部２２０は、図７および図１４に示すように、本体部２の前方向から取付部１２０のピン部１２１を受け入れて、該ピン部１２１を所定の位置において前方向への動き（つまり遊技盤１０の前方向への動き）を規制する機能を果たすベース部３００を有している。この取付係合部２２０は、取付係合部２１０のベース部３００と同一である。
【００３５】
取付係合部２３０は、取付係合部２１０の構成（構造）と同様に、ベース部および可動規制部を有している。ベース部は、本体部２の前方向から取付部１３０のピン部１３１を受け入れて、該ピン部１３１を所定の位置において前方向への動き（つまり遊技盤１０の前方向への動き）を規制する機能を有している。可動規制部は、遊技盤１０の上方向および前方向の動きを規制する機能を有している。
【００３６】
取付係合部２４０は、取付係合部２２０の構成（構造）と同様に、本体部２の前方向から取付部１４０のピン部１４１を受け入れて、該ピン部１４１を所定の位置において前方向への動き（つまり遊技盤１０の前方向への動き）を規制する機能を果たすベース部を有している。
【００３７】
なお、遊技盤１０の下側に設けられる取付部１２０，２４０と係合する取付係合部２２０，２４０には、取付係合部２１０，２２０に設けられている可動規制部は設けられていない。
【００３８】
再度、図５を参照して説明する。本体部２は、取付係合部２１０および取付係合部２３０は、それぞれ遊技盤１０の上方向の動きを規制する上方向規制部（これについては後述する）を有している。
【００３９】
本体部２には、取付係合部２２０の固定位置と取付係合部２４０の固定位置との間であって、当該２つの固定位置間を結ぶ線分よりも下方の所定の位置に、遊技盤１０の下方向の動きを規制する下方向規制部５１３，５１４と、がそれぞれ設けられている。
【００４０】
この実施の形態では、取付係合部２１０および取付係合部２３０の各上方向規制部と、下方向規制部５１３，５１４とで、遊技盤１０の上下方向の動きを規制する上下方向規制部の機能を果たすようになっている。
【００４１】
また、本体部２には、取付係合部２１０の固定位置と取付係合部２２０の固定位置との間の所定位置に、遊技盤１０の左右方向の動きを規制する左右方向規制部５１５と、取付係合部２３０の固定位置と取付係合部２４０の固定位置との間の所定位置に、遊技盤１０の左右方向の動きを規制する左右方向規制部５１６と、がそれぞれ設けられている。
【００４２】
下方向規制部５１３は、図７に示すように、コ字型の形状を有しており、このコ字型形状の平坦な部位の両側から突出している部位（凸部）５１３ａの先端面が、遊技盤１０の下端面と接するようになっている。しかも、下方向規制部５１３は、当該遊技盤１０の下方向の動きを規制すべく本体部２の所定の位置に固着されている。下方向規制部５１４も、下方向規制部５１３と同様の構造および本体部２の所定の位置に固着されている。
【００４３】
左右方向規制部５１５は、図７に示すように、遊技盤１０の左側端面（遊技盤１０を表面から見て左）と接する部位、遊技盤１０の裏面と接する部位とが形成された切り欠き部５１５ａを有している。左右方向規制部５１６は、図示していないが、遊技盤１０の右側端面（遊技盤１０を表面から見て右）と接する部位、遊技盤１０の裏面と接する部位とが形成された切り欠き部を有している。
【００４４】
ところで、上述した上下方向規制部（取付係合部２１０，２３０および下方向規制部５１３，５１４）、および左右方向規制部５１５，５１６は、遊技盤１０に取り付けられた各取付部１１０〜１４０のピン部１１１，１２１，１３１，１４１が、各取付係合部２１０，２２０，２３０，２４０の後述する前方向規制部により前方向への動きを規制された状態において、遊技盤１０の上下方向あるいは左右方向の動きを規制するようになっている。
【００４５】
なお、液晶表示装置２０は、図５〜図７に示すように、その上側は取付係合部２１０，２３０によって支持され、一方、その下側は本体部２に形成された段部５１７（の上面５１７ａ），５１８によって支持されている。
【００４６】
次に、上述した遊技盤１０に取り付けられる取付部１１０，１２０，１３０，１４０の構成（構造）について、図８〜図１２を参照して説明する。
【００４７】
取付部１１０は、図８に示すように、遊技盤１０の一方の面（例えば表面）に取り付けられる第１のブラケットと、遊技盤１０の他方の面（例えば裏面）に取り付けられる第２のブラケットとが一体に形成されたブラケット１１００と、一端部がネジ部１１２ａ，１１３ａを有するとともに他端部はブラケット１１００に圧接する圧接部１１２ｂ、１１３ｂを有する軸部１１２、１１３と、を備えている。
【００４８】
この一体化されたブラケット１１００は、図８および図９に示すように、遊技盤１０の表面１０１に接する部位１１０ａ、裏面１０２に接する部位１１０ｂ、上端面１０５に接する部位１１０ｃ、および側端面１０６に接する部位１１０ｄが形成されている。
【００４９】
このようなブラケット１１００においては、その部位１１０ａに、軸部１１２，１１３が挿通される挿通孔１１４ａ，１１５ａが形成されているとともに、その部位１１０ｂに、軸部１１２，１１３が挿通される挿通孔１１４ｂ，１１５ｂが形成されている。
【００５０】
また、部位１１０ｂにおける挿通孔１１４ｂ，１１５ｂに対応する部位には、図８および図１０に示すように、軸部１１２，１１３のネジ部１１２ａ，１１３ａに螺合する螺合部１１６ａ，１１６ｂが形成されている。
【００５１】
さらに、部位１１０ｃには、図９および図１０に示すように、取付係合部（例えば取付係合部２１０）の可動規制部（例えば可動規制部４００）と係合する係合部１１７と、前記可動規制部と圧接する圧接部１１８とが形成されている。ここでは、圧接部１１８の一部は係合部１１７を兼ねていることになる。
【００５２】
ところで、遊技盤１０には、取付部１１０に対応して、図８に示すように、左上隅の所定の位置に、所定の距離離間して２つの貫通孔１０３ａ，１０３ｂが形成されているとともに、取付部１１０特にブラケット１１００の部位１１０ｂを収容し、位置ズレを防止するブラケット収容凹部１０４が形成されている。ブラケット収容凹部１０４は、ブラケット１１００の部位１１０ｂの少なくとも一部の部位と嵌合するような凹部の形状を有している。
【００５３】
上述した構成の取付部１１０を、その開口部を介して遊技盤１０の左上の隅の部位に装着し、その後、軸部１１２，１１３を、挿通孔１１４ａ，１１５ａ、遊技盤１０の貫通孔１０３ａ、１０３ｂおよび挿通孔１１４ｂ，１１５ｂを介して螺合部１１６ａ，１１６ｂに螺合する。これにより、取付部１１０は、図９、図１１および図１２に示すように遊技盤１０に固定される。
【００５４】
なお、図１１は、遊技盤１０の表面１０１側から見た取付部を示す側面図を示しており、図１２は、遊技盤１０の裏面１０２側から見た取付部を示す側面図を示している。
【００５５】
このような取付部１１０においては、第１のブラケットおよび第２のブラケットが一体に形成されたブラケット１１００を遊技盤１０に装着し、上述したようにして軸部１１２，１１３のネジ部１１２ａ，１１３ａを螺合部（ナット）１１６ａ，１１６ｂに螺合するだけで、取付部１１０の遊技盤１０への取り付け作業を容易に実施することが可能になる。
【００５６】
取付部１２０，１３０，１４０は、取付部１１０の構成（構造）とは、基本的には同様であるものの、次の点で相違する。
【００５７】
取付部１２０は、遊技盤１０の左側方（遊技盤１０を表面から見て左側）に突出したピン部１２１を有し、遊技盤１０の表面、裏面、下端面および側端面の４つの面と接する一体化されたブラケットを有している。
【００５８】
取付部１３０は、遊技盤１０の右側方（遊技盤１０を表面から見て右側）に突出したピン部１３１を有し、遊技盤１０の表面、裏面、上端面および側端面の４つの面と接する一体化されたブラケットを有している。
【００５９】
取付部１４０には、遊技盤１０の右側方（遊技盤１０を表面から見て右側）に突出したピン部１４１を有し、遊技盤１０の表面、裏面、下端面および側端面の４つの面と接する一体化されたブラケットを有している。
【００６０】
そして、取付部１２０，１３０，１４０は、取付部１１０の場合と同様に、遊技盤１０の表面側から軸部１１２，１１３に対応する２つの軸部のネジ部を螺合部（ナット）に螺合して、遊技盤１０に取り付けるようになっている。
【００６１】
次に、取付係合部２１０の構成（構造）について、図１３〜図１９を参照して詳細に説明する。
【００６２】
取付係合部２１０は、上述したようにベース部３００および可動規制部４００を備えている。
【００６３】
ベース部３００は、図１３および図１４に示すように、本体部２の前方向から取付部１１０のピン部１１１を受け入れ、該ピン部１１１を下方向の支持位置（凹部）３１１へ案内する案内溝３１０と、支持位置（凹部）３１１においてピン部１１１の前方向への動きを規制する前方向規制部３２０と、可動規制部４００を摺動可能に支持する軸部３３０とを有している。
【００６４】
また、図１４に示すように、ベース部３００の部位３４０には、ネジなどの固定部材によってベース部３００を本体部２に固定するための孔３４０ａ，３４０ｂが形成されている。
【００６５】
ここで、図１３の取付係合部２１０の正面図を図１５に示し、当該取付係合部２１０の右側面図を図１６に示し、当該取付係合部２１０の背面図を図１７に示し、当該取付係合部２１０の上面図を図１８に示し、当該取付係合部２１０の下面図を図１９に示す。
【００６６】
可動規制部４００は、上述した上方向規制部の機能を果たすものである。この上方向規制部つまり可動規制部４００は、図１３および図２０に示すように、遊技盤１０の動きを許容する移動許容位置Ｐ１と、遊技盤１０の上方向の動きを規制する移動規制位置Ｐ２との間で移動可能になっている。
【００６７】
この可動規制部４００は、図１３に示すように取付係合部２１０（のベース部３００の軸部３３０）に揺動可能に取り付けられ、また移動規制位置Ｐ２において、図２３に示すように遊技盤１０のブラケット１１００に形成されている圧接部１１８（図９参照）に接するようになっている。
【００６８】
また、可動規制部４００は、図１３、図１５および図２３に示すように、移動規制位置Ｐ２において遊技盤１０の前面つまり表面１０１（図９参照）と接する部位（側面）４２０ａを有するストッパ部４２０を備えている。
【００６９】
このストッパ部４２０は、図２３に示すように、実際には遊技盤１０そのものではなく、遊技盤１０に取り付けられている取付部、例えば取付部１１０のブラケット１１００（の部位１１０ａ）に接するようになっている。そのため、遊技盤１０に傷等を生じさせることなく、遊技盤１０の前方向への動きを規制することが可能となる。
【００７０】
可動規制部４００は、図２０に示すように、軸部３３０に揺動可能に支持されている支持部４１０が、移動許容位置Ｐ１と移動規制位置Ｐ２との間で移動されるようになっている。
【００７１】
この実施の形態では、支持部４１０の側面４１０ａが、移動許容位置Ｐ１に位置したときは、例えば取付係合部２１０は移動許容状態であると定義し、一方、移動規制位置Ｐ２に位置するときは、例えば取付係合部２１０は移動規制状態であると定義する。
【００７２】
ちなみに、図２０および図２１において、実線で示す可動規制部４００の状態では例えば取付係合部２１０は移動許容状態になっており、一方、点線で示す可動規制部４００では例えば取付係合部２１０は移動規制状態になっている。
【００７３】
なお、図２１は、図２０において移動許容状態の取付係合部を正面から見た状態、つまり遊技盤１０のピン部１１１を案内溝３２０に案内（挿入）する方向から見た状態を示している。
【００７４】
移動許容状態の場合、すなわち支持部４１０の側面４１０ａが移動許容位置Ｐ１に位置する場合は、遊技盤１０の動きが許容され、取付係合部２１０に取り付けられた遊技盤１０を取り外したり、遊技盤１０を取付係合部２１０に取り付けることができる。
【００７５】
これに対し移動規制状態の場合、すなわち部位４１０の側面４１０ａが移動規制位置Ｐ２に位置する場合は、遊技盤１０は取付係合部２１０に固定され、上下方向規制部（取付係合部２１０，２３０の可動規制部４００および下方向規制部５１３，５１４）によって、上下方向の動きが規制されることになる。
【００７６】
ところで、支持部４１０の側面４１０ａが移動許容位置Ｐ１に位置していたとしても、図１３および図２１に示すように、支持部４１０に切り欠き部４２１が形成されているので、取付部１１０のピン部１１１を案内溝３１０に挿入することが可能であり、遊技盤１０の本体部２に対する取り付や取り外しの際には、何ら支障はない。
【００７７】
可動規制部４００においては、図１３および図２０に示すように、操作者が可動部材４００を摺動させる摺動操作のときにその操作がし易いように、支持部４１０に凹部４３１，４３２が設けられているとともに、ストッパ部４２０に凹部４３３および凸部４３４が設けられている。
【００７８】
支持部４１０は、図１３、図１６および図２３に示すように、遊技盤１０に設けられた取付部１１０の圧接部１１８（図９および図１０参照）に圧接する圧接部４５０と、この圧接部４５０の一部の領域に設けられ、取付部１１０の係合部１１７（図１０参照）と係合する突起部（凸部）４６０とを有している。
【００７９】
上述した取付係合部２１０以外の取付係合部の構造について説明すると、取付係合部２３０は取付係合部２１０と同様の機能を果たす構造になっている。また、取付係合部２２０は取付係合部２１０のベース部３００と同様の構造になっている。さらに、取付係合部２４０は取付係合部２１０のベース部３００と同様の機能を果たす構造になっている。
【００８０】
以上説明した構成において、遊技盤１０を本体部２に取り付ける場合の操作およびその取付構造について、図２０〜図２３を参照して説明する。
【００８１】
例えば、遊技機１を製作する作業者、遊技機１（の遊技盤１０）をメンテナンスする作業者などの作業者は、取付部１１０，１２０，１３０，１４０が設けられた遊技盤１０を、本体部２の取付係合部２１０，２２０，２３０，２４０へ係合させるときは、まず、取付係合部２１０の可動部材４００が移動許容位置Ｐ１に位置するようにする。
【００８２】
例えば、本体部２に取り付けられている遊技盤１０をメンテナンスする場合には、移動規制状態にある取付係合部２１０の可動規制部４００を、図２０に示すように、移動許容状態つまり移動許容位置Ｐ１に位置するように揺動させる。このとき、作業者は、支持部４１０の凹部４３１，４３２、およびストッパ部４２０の凹部４３３、凸部４３４のうち、１つ以上の部位を手で支持して揺動操作することにより、可動規制部４００の揺動操作がし易くなる。取付係合部２３０についても、これと同様な操作が行われる。
【００８３】
このようにして可動規制部４００が移動許容位置Ｐ１に達したときは、図２１に示すように可動規制部４００の支持部４１０に切り欠き部４２１が形成されているので、遊技盤１０のピン部１１１を、ベース部３００の案内溝３１０に挿入することが可能となる。
【００８４】
そこで作業者は両手で遊技盤１０を持って、遊技盤１０の取付部１１０，１２０，１３０，１４０のピン部１１１、１２１，１３１，１４１を、取付係合部２１０，２２０，２３０，２４０のベース部の案内溝に挿入して、所定の支持位置である凹部に収容させる。
【００８５】
例えば、図２２に示すように取付部１１０のピン部１１１を、これが案内溝３１０に案内されるように、案内溝３１０に挿入する（図中点線矢印で示される方向に挿入する）。この図２２に示す例では、説明の都合上、可動規制部４００は省略されている。
【００８６】
このようにして遊技盤１０の各取付部の各ピン部が各取付係合部の各凹部に収容された場合は、遊技盤１０の仮固定が終了したことになる。
【００８７】
このように遊技盤１０の仮固定が終了したときは、遊技盤１０の各取付部の各ピン部が各取付係合部の各凹部に収容され、しかも前方向規制部によって遊技盤１０が前方向への動きが規制されているので、遊技盤１０は前方向へ移動（倒れる）ことはない。
【００８８】
そのため、遊技盤１０の仮固定を終了した場合には、作業者は遊技盤１０を抑えていた両手を離して、次の作業に移行することが可能になる。
【００８９】
すなわち、作業者は、移動許容位置Ｐ１に位置する取付係合部２１０，２３０の可動規制部を、移動許容位置Ｐ１から移動規制位置Ｐ２へ移動させるべく摺動操作を行う。
【００９０】
すると、例えば取付係合部２１０においては、可動規制部４００の圧接部４５０（の底面）が、遊技盤１０に設けられた取付部１１０のブラケット１１００に形成されている圧接部１１８に圧接する。
【００９１】
これにより、遊技盤１０は、上方向規制部（つまり取付係合部２１０，２３０の可動規制部４００）、および下方向規制部５１３，５１４によって上下方向の動きが規制されることになる。
【００９２】
また、移動規制状態にある例えば取付係合部２１０においては、可動規制部４００のストッパ部４２０の部位（側面）４２０ａに、ブラケット１１００（部位１１０ａ）が接するとともに、可動規制部４００の突起部（凸部）４６０と、取付部１１０のブラケット１１００に形成されている係合部１１７とが係合する。
【００９３】
これにより、遊技盤１０は、ベース部３００の前方向規制部３２０による前方向への動きの規制に加えて、より一層、前方向への動きが規制される。
【００９４】
さらに、上述したように、上方向規制部つまり取付係合部２１０，２３０の可動規制部４００および下方向規制部５１３，５１４、換言すれば上下方向規制部によって上下方向の動きが規制されているときは、左右方向規制部５１５，５１６によって左右方向の動きが規制されていることになる。
【００９５】
このように遊技盤１０は、上下方向、左右方向および前方向の動きが規制されるので、本体部２（の各取付係合部）に確実に固定されることとなる。これで、遊技盤１０の本固定が終了したことになる。
【００９６】
上述したように、作業者は、遊技盤１０の各取付部の各ピン部を、本体部２の各取付係合部の各ベース部の案内溝に案内させ、かつ凹部に収容させて、その後、上側の２つの取付係合部の可動規制部を、移動許容位置Ｐ１から移動規制位置Ｐ２へ移動させるべく摺動操作を実施することにより、遊技盤１０の仮固定から本固定までの取付作業を、一連の作業で実施することが可能になる。
【００９７】
なお、この実施の形態においては、遊技盤１０を固定するための上側の２つの取付係合部を利用して、液晶表示装置２０の仮固定を行うことが可能である。
【００９８】
すなわち、図２４に示すように、例えば取付係合部２１０（可動規制部４００は省略）においては、ベース部３００の部位３４０と本体部２の部材との間は、液晶表示装置２０の厚さｄ１以上の所定の距離ｄ２だけ離間されている。
【００９９】
また、ベース部３００つまり部位３４０（の下側部位３４１）を本体部２の部材３５０に取り付けた場合は、下側部位３４１の底面の位置は、部材３５０の底面の位置よりも距離Ｌだけ低い。つまり下側部位３４１の底面と部材３５０の底面との間に、距離Ｌの段差が形成されていることになる。
【０１００】
上述した構成において、作業者は、下側部位３４１と部材３５０との間の空間に、液晶表示装置２０の上側が介在するように入れ、その後、当該液晶表示装置２０を矢印Ａ方向に回転させ、さらに、液晶表示装置２０の下側を本体部２の段部５１７，５１８（図７参照）に載置するようにする。
【０１０１】
これにより、液晶表示装置２０の上側は下側部位３４１の側面３４１ａに接するので、下側が本体部２の段部５１７，５１８に載置されている液晶表示装置２０は、前方向に倒れることはない（図２４および図２５参照）。これで、液晶表示装置２０の仮固定が終了したことになる。その後、液晶表示装置２０は、ネジなどの固定部材によって、本体部２にネジ止めされることで本固定される。
【０１０２】
上述したようにして、液晶表示装置２０が本体部２に本固定され、さらに、上述したように遊技盤１０が本固定された場合の取付係合部（のベース部）においては、液晶表示装置２０と遊技盤１０とは、例えば図２６に示すような配置関係で、取り付けられていることになる。すなわち、遊技盤１０の背後に液晶表示装置２０が配置されている。なお、図２６においては、遊技盤１０に設けられている取付部、取付係合部２１０の可動規制部４００は図示していない。
【０１０３】
以上説明したように、本実施の形態によれば、次の（１）〜（６）の作用効果を期待することができる。
【０１０４】
（１）遊技盤１０の取付部１１０〜１４０を本体部２の取付係合部２１０〜２４０へ係合させるに際し、遊技盤１０の側方に突出したピン部１１１、１２１，１３１，１４１を本体部２の各取付係合部の案内溝３１０を介して前方向規制部３２０へ移動させるようにしているので、遊技盤１０のピン部を本体部２の前方向規制部３２０へ移動させた時点で当該遊技盤１０は仮固定された状態となり、このため、遊技盤を固定する前であっても当該遊技盤は前方向へ倒れることはく、遊技盤取付の作業性を向上させることができる。
【０１０５】
（２）取付部のピン部が前方向規制部３２０により前方向への動きを規制された状態において、上下方向規制部、すなわち上方向規制部（取付係合部２１０，２３０の可動規制部４００）および下方向規制部５１３，５１４と、左右方向規制部５１５，５１６とによって、遊技盤１０の前方向、上下方向および左右方向の動きが規制されるので、遊技盤の仮固定および本固定を安定にすることが可能になる。
【０１０６】
（３）上方向規制部つまり可動規制部４００は、移動許容位置Ｐ１と移動規制位置Ｐ２との間で移動可能になっているので、作業者は遊技盤の仮固定から本固定への固定作業を容易に行うことが可能になる。
【０１０７】
（４）案内溝３１０および前方向規制部３２０を有する取付係合部２１０，２３０に揺動可能に取り付けられた可動規制部４００を、移動許容位置Ｐ１から移動規制位置Ｐ２へ摺動させることで、取付部１１０，１３０のピン部１１１，１３１が案内溝３１０を介して前方向規制部３２０へ移動され仮固定の状態にある遊技盤１０の動きを規制して、本固定するようにしているので、取付係合部および可動部材により遊技盤の仮固定から本固定までの固定操作を連続（一括）して行うことができる。これにより、遊技盤の仮固定から本固定まで実施するための構造を簡易な構造で実現することができる。
【０１０８】
（５）移動規制位置Ｐ２に存在する遊技盤１０は、可動規制部４００（上方向規制部）および下方向規制部５１３，５１４によって上下方向の動きが規制されるのに加えて、ストッパ部４２０によって前方向の動きが規制されるので、遊技盤の強固な本固定を確実に行うことが可能になる。
【０１０９】
（６）遊技盤１０を固定するための上側の２つの取付係合部２１０，２３０を利用して液晶表示装置２０の仮固定を行うことができるので、液晶表示装置２０を固定（仮固定）するための部材、例えば液晶表示装置２０が前方向に倒れないようにする部材を抑制することができる。
【産業上の利用可能性】
【０１１０】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種のゲーム機など、種々の遊技機に適用することが可能である。
【図面の簡単な説明】
【０１１１】
【図１】本発明の一実施の形態である遊技機を示す斜視図である。
【図２】図１に示した遊技機の正面図である。
【図３】本実施の形態に係る遊技盤を示す正面図である。
【図４】図３に示した遊技盤を示す斜視図である。
【図５】本実施の形態に係る取付係合部、上下方向規制部および左右方向規制部を説明する図である。
【図６】本実施の形態に係る取付係合部の取付状態を説明する図である。
【図７】本実施の形態に係る取付係合部、上下方向規制部、左右方向規制部および段部を説明する図である。
【図８】本実施の形態に係る取付部を示す斜視図である。
【図９】図８に示した取付部を遊技盤に取り付けた状態を示す斜視図である。
【図１０】図９に示した取付部を示す上面図である。
【図１１】図９に示した取付部を示す側面図である。
【図１２】図９に示した取付部を示す側面図である。
【図１３】本実施の形態に係る取付係合部を示す斜視図である。
【図１４】本実施の形態に係る取付係合部の他の例を示す斜視図である。
【図１５】図１３に示した取付係合部の正面を示す正面図である。
【図１６】図１３に示した取付係合部の右側面を示す側面図である。
【図１７】図１３に示した取付係合部の背面を示す背面図である。
【図１８】図１３に示した取付係合部の上面を示す上面図である。
【図１９】図１３に示した取付係合部の下面を示す下面図である。
【図２０】本実施の形態に係る取付係合部の移動許容状態および移動規制状態を説明する図である。
【図２１】本実施の形態に係る移動許容状態での取付係合部および遊技盤の取付構造を説明する図である。
【図２２】本実施の形態に係る移動許容状態での取付係合部および遊技盤の取付構造を説明する図である。
【図２３】本実施の形態に係る移動規制状態での取付係合部および遊技盤の取付構造を説明する図である。
【図２４】表示装置の仮固定を説明する図である。
【図２５】表示装置の仮固定を説明する図である。
【図２６】表示装置と遊技盤との配置関係を説明する斜視図である。
【符号の説明】
【０１１２】
１  遊技機
２  本体部
３  ガラス扉
４  上皿部
５  下皿部
６  カバー
７  ハンドル
１０  遊技盤
２０  液晶表示装置
１１０，１２０，１３０，１４０  取付部
１１１，１２１，１３１，１４１  ピン部
１１７  係合部
１１８  圧接部
２１０，２２０，２３０，２４０  取付係合部
３００  ベース部
３１０  案内溝
３１１  凹部
３２０  前方向規制部
３３０  軸部
４００  可動規制部（上方向規制部）
４１０  支持部
４２０  ストッパ部
４２１  切り欠き部
４３１，４３２，４３３  凹部
４３４  凸部
４６０  突出部
５１３，５１４  下方向規制部
５１５，５１６  左右方向規制部
５１７，５１８  段部
１１００  ブラケット
Ｐ１  移動許容位置
Ｐ２  移動規制位置
【図１】
2006204687.tif 000003
【図２】
2006204687.tif 000004
【図３】
2006204687.tif 000005
【図４】
2006204687.tif 000006
【図５】
2006204687.tif 000007
【図６】
2006204687.tif 000008
【図７】
2006204687.tif 000009
【図８】
2006204687.tif 000010
【図９】
2006204687.tif 000011
【図１０】
2006204687.tif 000012
【図１１】
2006204687.tif 000013
【図１２】
2006204687.tif 000014
【図１３】
2006204687.tif 000015
【図１４】
2006204687.tif 000016
【図１５】
2006204687.tif 000017
【図１６】
2006204687.tif 000018
【図１７】
2006204687.tif 000019
【図１８】
2006204687.tif 000020
【図１９】
2006204687.tif 000021
【図２０】
2006204687.tif 000022
【図２１】
2006204687.tif 000023
【図２２】
2006204687.tif 000024
【図２３】
2006204687.tif 000025
【図２４】
2006204687.tif 000026
【図２５】
2006204687.tif 000027
【図２６】
2006204687.tif 000028